(57)【要約】【課題】身の回りに携帯することが可能であり、ソーラーパネルと電池台を便利に交換することが可能な携帯式ソーラー充電器を提供する。【解決手段】本体１は、複数のプレートとスライドカバー１２とを有する。複数のプレートから収容空間が構成され、複数のプレートは、底板と、前板と、後板と、二つの側板と、を含む。底板の少なくとも一部は半透明部である。二つの側板は、前板と後板の間にそれぞれ設けられており、それぞれに第１レール溝が設けられている。スライドカバー１２は、二つの第１レール溝に摺動可能に設けられている。電池台は本体１に脱着可能に設けられている。ソーラーモジュールは、収容空間に脱着可能に収容されており、電池台と電気的に接続している。ソーラーモジュールは少なくとも一つの吸光面を有し、吸光面は底板の半透明部に面している。【選択図】図１
0003193190.tif 000002
【実用新案登録請求の範囲】
【請求項１】
底板、前板、後板、および二つの側板を含み収容空間を形成する複数のプレートならびにスライドカバーを有し、前記底板の少なくとも一部が半透明部であり、二つの前記側板が前記前板と前記後板との間に設けられておりそれぞれに第１レール溝が形成されており、前記スライドカバーが、二つの前記第１レール溝に摺動可能に設けられており封止位置に位置したときに前記収容空間の開口を封止する本体と、
前記本体に脱着可能に設けられている電池台と、
前記収容空間に脱着可能に収容されており、前記電池台と電気的に接続されており、少なくとも一つの吸光面を有し、前記吸光面が前記底板の前記半透明部に面しているソーラーモジュールと、を備え、
光が外部から前記半透明部を通過して前記吸光面に投射されると、前記ソーラーモジュールにより投射された光のエネルギーが電気エネルギーに変換され、電気エネルギーが前記電池台に伝送されることを特徴とする携帯式ソーラー充電器。
【請求項２】
前記スライドカバーは、上面を有し、前記上面に一セットの位置決め部材が形成されており、
一セットの前記位置決め部材は二つの第２レール溝を有し、
前記電池台は、制御回路板を有し、
前記制御回路板は、二つの前記第２レール溝に摺動可能に設けられていることを特徴とする請求項１に記載の携帯式ソーラー充電器。
【請求項３】
二つの前記第２レール溝は、開放端および閉鎖端を有し、
前記制御回路板は、二つの前記第２レール溝の前記開放端から入いることが可能であり、二つの前記第２レール溝の前記閉鎖端に当接すると、一セットの前記位置決め部材により定位されることを特徴とする請求項２に記載の携帯式ソーラー充電器。
【請求項４】
マスクをさらに備え、
前記マスクおよび一セットの前記位置決め部材は、一方に二つの第３レール溝が設けられており、他方に二つのスライドブロックが設けられており、前記マスクが一セットの前記位置決め部材に摺動可能に設けられていることを特徴とする請求項２又は３に記載の携帯式ソーラー充電器。
【請求項５】
前記マスクは、頂壁、後壁、および二つの側壁を有し、前記頂壁、前記後壁、および二つの前記側壁により収容空間が形成され、前記後壁の所定位置に開口が形成されていることを特徴とする請求項４に記載の携帯式ソーラー充電器。
【請求項６】
前記制御回路板は、ケーブルを有し、
前記ケーブルは、外部の電器、又は外部のパワーサプライと電気的に接続可能であり、前記マスクが前記位置決め部材に摺動可能に設けられているとき、前記ケーブルが前記後壁に形成されている貫通穴を挿通することを特徴とする請求項５に記載の携帯式ソーラー充電器。
【請求項７】
二つのリード線をさらに備え、
前記後板には、二つの貫通孔が形成されており、
二つの前記リード線は、それぞれ二つの前記貫通孔を挿通し、前記電池台と前記ソーラーモジュールとを電気的に接続することを特徴とする請求項１に記載の携帯式ソーラー充電器。
【請求項８】
前記後板に定位溝が形成されており、
前記スライドカバーが封止位置に位置しているとき、前記スライドカバーの一端が前記定位溝内に定位されていることを特徴とする請求項１に記載の携帯式ソーラー充電器。
【請求項９】
固定具をさらに備え、
前記固定具は、光線の照射を受け可能な箇所に前記本体を固定するのに用いられることを特徴とする、請求項１に記載の携帯式ソーラー充電器。
【請求項１０】
前記固定具は、吸盤であり、
前記吸盤は、前記底板に設けられていることを特徴とする請求項９に記載の携帯式ソーラー充電器。
【考案の詳細な説明】
【技術分野】
【０００１】
本考案は、充電器に関し、特に、ソーラーエネルギーを利用して電気エネルギーを発生する携帯式ソーラー充電器に関するものである。
【背景技術】
【０００２】
通常、多くの電子製品が重複に充電することが可能な充電電池を利用することにより、地球環境を保護する目的を達成する。充電電池の電力が切れると、充電器に入れて充電することが必要である。従来の充電器は、商用電源の電力を変圧器によって一定の電圧に変圧して充電電源として、充電電池を充電する。
【０００３】
しかし、ユーザが商用電源の電力を供給するソケットを見付けられない場所（例えば田舎や不毛の山など）では、このような充電器を利用することができない。
【０００４】
このような問題を解決するために、多くのソーラー充電器が市販されている。しかし、このような充電器のソーラーパネル及び電池台が充電器に固定されているため、ソーラーパネルと電池台のうちの一つが故障すると、電池を充電することができない。このように、ユーザは電器（例えば携帯電話やタブレットパーソナルコンピュータなど）を利用することができない。
【０００５】
故障したソーラーパネル又は電池台を直接に交換することができないため、ユーザは、故障したソーラー充電器を廃棄して、新品のソーラー充電器を購入することが必要である。このように、経済的負担が重くなり、そして廃棄するソーラー充電器のなかに使用できる部品があるため、全体のソーラー充電器を廃棄すると、資源を無駄にするという問題があった。
【考案の概要】
【考案が解決しようとする課題】
【０００６】
本考案の主な目的は、身の回りに携帯することが可能であり、ソーラーパネルと電池台を便利に交換することが可能な携帯式ソーラー充電器を提供することにある。
【課題を解決するための手段】
【０００７】
本考案の携帯式ソーラー充電器は、本体と電池台とソーラーモジュールとを備える。本体は、複数のプレートとスライドカバーとを有する。複数のプレートから収容空間が形成される。複数のプレートは、底板と、前板と、後板と、二つの側板と、を含む。底板の少なくとも一部は半透明部である。二つの側板は、前板と後板の間に設けられており、それぞれに第１レール溝が形成されている。スライドカバーは、二つの第１レール溝に摺動可能に設けられている。スライドカバーが封止位置に位置しているときに、スライドカバーは収容空間の開口を封止する。電池台は本体に脱着可能に設けられている。ソーラーモジュールは収容空間に脱着可能に収容されており、電池台と電気的に接続しており、少なくとも一つの吸光面を有する。吸光面は、底板の半透明部に面している。
光が外部から半透明部を通過して吸光面に投射されると、ソーラーモジュールにより、投射された光のエネルギーが電気エネルギーに変換され、電気エネルギーが電池台に伝送される。
【０００８】
本考案の携帯式ソーラー充電器は、スライドカバーが上面を含み、上面に一セットの位置決め部材が形成されている。一セットの位置決め部材は二つの第２レール溝を有する。電池台は制御回路板を有する。制御回路板は、二つの第２レール溝に摺動可能に設けられている。
【０００９】
本考案の携帯式ソーラー充電器は、二つの第２レール溝が、開放端と、閉鎖端と、を有する。制御回路板は、二つの第２レール溝の開放端から入いることが可能であり、二つの第２レール溝の閉鎖端に当接すると、一セットの位置決め部材により定位される。
【００１０】
本考案の携帯式ソーラー充電器は、更に、マスクを備える。マスクおよび一セットの位置決め部材は、一方に二つの第３レール溝が設けられており、他方に二つのスライドブロックが設けられている。これにより、マスクは、一セットの位置決め部材に摺動可能に設けられている。
【００１１】
本考案の携帯式ソーラー充電器は、マスクが、頂壁と、後壁と、二つの側壁と、を有する。頂壁と後壁と二つの側壁とは収容空間を構成する。後壁の所定位置に開口が形成されている。
【００１２】
本考案の携帯式ソーラー充電器は、制御回路板がケーブルを有する。ケーブルは、外部の電器、又は外部のパワーサプライと電気的に接続可能である。マスクが位置決め部材に摺動可能に設けられているとき、ケーブルは後壁に形成されている貫通穴を挿通する。
【００１３】
本考案の携帯式ソーラー充電器は、二つのリード線をさらに備える。後板には二つの貫通孔が形成されている。二つのリード線は、それぞれ二つの貫通孔を挿通し、電池台とソーラーモジュールとを電気的に接続する。
【００１４】
本考案の携帯式ソーラー充電器は、後板に定位溝が形成されている。スライドカバーが封止位置に位置しているとき、スライドカバーの一端が定位溝内に定位されている。
【００１５】
本考案の携帯式ソーラー充電器は、固定具をさらに備える。固定具は、光線の照射を受け可能な箇所に本体を固定するのに用いられる。
【００１６】
本考案の携帯式ソーラー充電器は、固定具は吸盤である。吸盤は底板に設けられている。
【００１７】
本考案の携帯式ソーラー充電器によれば、身の回りに携帯することが可能であり、ソーラーパネルと電池台を便利に交換することが可能であり、資源を無駄にする問題がなくなるという効果を有する。
【図面の簡単な説明】
【００１８】
【図１】本考案の一実施形態による携帯式ソーラー充電器を示す斜視図である。
【図２】本考案の一実施形態による携帯式ソーラー充電器を示す分解斜視図である。
【図３】本考案の一実施形態による携帯式ソーラー充電器の組み合わせを示す模式図である。
【図４】本考案の一実施形態による携帯式ソーラー充電器を示す断面図である。
【図５】本考案の一実施形態による携帯式ソーラー充電器を示す背面図である。
【考案を実施するための形態】
【００１９】
（一実施形態）
以下、本考案の一実施形態を図面に基づいて説明する。
図１から図５を参照する。図１は本考案の一実施形態による携帯式ソーラー充電器を示す斜視図であり、図２は本考案の一実施形態による携帯式ソーラー充電器を示す分解斜視図であり、図３は本考案の一実施形態による携帯式ソーラー充電器の組合動作を示す模式図であり、図４は本考案の一実施形態による携帯式ソーラー充電器を示す断面図であり、図５は本考案の一実施形態による携帯式ソーラー充電器を示す背面図である。本考案の一実施形態による携帯式ソーラー充電器は、本体１と、電池台２と、ソーラーモジュール３と、二つのリード線４と、を含む。
【００２０】
本体１は、複数のプレートと、スライドカバー１２と、を備える。これらの前記プレートから収容空間１３が構成される。これらの前記プレートは、底板１１１と、前板１１２と、後板１１３と、二つの側板１１４と、を含む。底板１１１の少なくとも一部は半透明部１１１ａ（図５参照）である。後板１１３には、二つの貫通孔１１３ａが設けられている。二つの側板１１４は、前板１１２と後板１１３の間にそれぞれ設けられており、それぞれ第１レール溝１１４ａが設けられている。スライドカバー１２は、上面１２１と、下面１２２と、を含む。スライドカバー１２は、二つの第１レール溝１１４ａに摺動可能に設けられている。後板１１３に定位溝（図示せず）が設けられていることが好ましい。スライドカバー１２が封止位置に位置しているときに、スライドカバー１２は、収容空間１３の開口を封止する。このとき、スライドカバー１２の下面１２２は底板１１１に面しており、スライドカバー１２の一端が前記定位溝に定位されている。上面１２１に一セットの位置決め部材１４が形成されている。一セットの位置決め部材１４は二つの第２レール溝１４１を含む。二つの第２レール溝１４１は、開放端と、閉鎖端と、をそれぞれ有する。
【００２１】
電池台２は、本体１に脱着可能に設けられている。電池台２は、スライドカバー１２に脱着可能に設けられていることが好ましい。もちろん、電池台２は、本体１の他の箇所に設けられていてもよい。電池台２は、制御回路板２１と、電池収容空間２２と、を含む。制御回路板２１は、第２レール溝１４１に摺動可能に設けられている。詳細的には、制御回路板２１は、二つの第２レール溝１４１の前記開放端から入れることが可能であり、二つの第２レール溝１４１に沿って前記閉鎖端へスライドすることが可能である。制御回路板２１は、二つの第２レール溝１４１の前記閉鎖端に着くと、一セットの位置決め部材１４に定位される。電池収容空間２２は、制御回路板２１に設けられており、電池２３を収容することが可能である。電池２３は、充放電することが可能な二次電池（例えばリチウムイオン電池）である。
【００２２】
ソーラーモジュール３は、収容空間１３に脱着可能に収容されており、電池台２と電気的に接続している。ソーラーモジュール３は、容器３１と、複数のソーラーパネル３２（図４参照）と、を含む。これらのソーラーパネル３２は収容空間１３に収容されている。二つのリード線４は、それぞれ二つの貫通孔１１３ａを挿通し、電池台２とソーラーパネル３２の間に位置するように、電池台２及びソーラーパネル３２と電気的に接続する。図４を参照する。本実施例では、ソーラーモジュール３は半透明覆い層３３を含む。これらのソーラーパネル３２は半透明覆い層３３に覆われる。半透明覆い層３３は、自体に粘性を有するため、容器３１に粘着することが可能である。ソーラーモジュール３は、少なくとも一つの吸光面を含む。詳細的には、ソーラーモジュール３の各ソーラーパネル３２は少なくとも一つの吸光面３２１を含む。吸光面３２１は、図４に示すように、底板１１１の半透明部１１１ａに面している。このように、光が外部空間から半透明部１１１ａを通過して吸光面３２１に照射することが可能であり、ソーラーモジュール３のソーラーパネル３２により、光のエネルギーが電気エネルギーに変換されて電池台２の電池収容空間２２に伝送される。前記前板、前記後板、前記二つの側板及び前記底板は、一部又は全部が透明であってもよい。このように、ソーラーモジュールがより多くの光を吸収して電気エネルギーに変換することが可能である。
【００２３】
ソーラーモジュール３が故障する場合には、図３に示すように、ユーザがスライドカバー１２を第１レール溝１１４ａに沿って取外すと、収容空間１３からソーラーモジュール３全体を取り出して、ソーラーモジュール３から二つのリード線４を外して、新品のソーラーモジュールに二つのリード線４を接続して、収容空間１３にソーラーモジュール３を入れて、スライドカバー１２を第１レール溝１１４ａに沿ってスライドして封止位置に位置すると、電池を充電することが可能である。
【００２４】
同様のように、電池台２を故障し、又は異なる寸法の充電電池を充電するために、異なる規格の電池台２を交換したい場合には、ユーザは、制御回路板２１を位置決め部材１４から二つの第２レール溝１４１に沿って取外して、新品又は別の規格の電池台２を一セットの位置決め部材１４に入れると済む。
【００２５】
本実施形態の携帯式ソーラー充電器は、更に、マスク５を含む。マスク５と一セットの位置決め部材１４のうちの一つには、二つの第３レール溝が設けられており、マスク５と一セットの位置決め部材１４のうちの残りには、二つのスライドブロックが設けられている。詳細的には、マスク５は、頂壁５１と、後壁５２と、二つの側壁５３と、を含む。頂壁５１、後壁５２と二つの側壁５３から、収容空間５４が構成される。後壁５２の反対側に開口が形成されている。二つの側壁５３には、一つのスライドブロック５３１がそれぞれ設けられている。一セットの位置決め部材１４には、二つの第３レール溝１４２が設けられている。マスク５が一セットの位置決め部材１４に摺動可能に設けられているときには、二つの側壁のスライドブロック５３１が二つの第３レール溝１４２に沿ってスライドすることが可能であり、電池台２は、前記開口を通過した後、収容空間５４に収容され、マスクの後壁５２が一セットの位置決め部材１４に当接すると、マスク５が一セットの位置決め部材１４に定位されている。このように、マスク５により、電池台２が良く保護され、外部の品物からの衝突を防止することが可能であり、そしてマスク５が透明であってもよいため、光がマスク５を通過してソーラーパネルの吸光面に照射することが可能である。
【００２６】
本実施形態の携帯式ソーラー充電器は、更に、固定具を含む。前記固定具は、光線の照射を受け可能な箇所に本体を選択的に固定するためのものである。前記固定具は吸盤６であり、吸盤６が底板１１１に設けられていることが好ましい。吸盤６により、本実施形態の携帯式ソーラー充電器は、室内の壁面、ドア又は窓に吸着し、又は車両において、窓や何れかの光を吸収可能な箇所に吸着することが可能である。
【００２７】
本実施形態の携帯式ソーラー充電器の実用性を増加するために、制御回路板２１は、更に、ケーブル２１１を含む。後壁５２に貫通穴５２１が設けられている。マスク５が一セットの位置決め部材１４に摺動可能に設けられているときには、図１に示すように、ケーブル２１１が貫通穴５２１を挿通する。このとき、ケーブル２１１は外部の電器７（例えば図２に示した懐中電灯）と電気的に接続することが可能である。このように、充電電池の電力が電器７に供給されて、電器７を直接に利用することが可能であり、又は電器７の内部の充電電池を充電することが可能である。
【００２８】
本実施形態の携帯式ソーラー充電器によれば、ユーザは、何時でも何処でもソーラーエネルギーにより充電電池を充電することが可能であり、商用電源の電力を供給するソケットを見付けられないという悩みを解消することが可能である。また、本実施形態の携帯式ソーラー充電器によれば、電池台とソーラーモジュールを便利に交換することが可能であり、電池台やソーラーモジュールが故障し、又は異なる規格の電池台を交換したい場合には、スライドカバー及びマスクを迅速で便利にスライドして取外すと、ソーラーモジュールを直接に取り出すことが可能であり、電池台を位置決め部材から取外すと、新品と交換することが可能である。このように、ユーザは、ソーラーエネルギーにより即時に充電することが可能であり、そして一つの部品が故障したことにより、充電器全体を廃棄することが必要なくなり、経済的負担が軽くなり、資源を無駄にするという問題を解決することが可能である。
【００２９】
なお、本考案は前記実施形態に限定されるものではなく、本考案の趣旨に基づいて種々変形させることが可能であり、それらを本考案の実用新案登録請求の範囲から排除するものではない。
【００３０】
本考案は、ソーラー充電器に適用することができる。
【符号の説明】
【００３１】
１  本体、
２  電池台、
３  ソーラーモジュール、
４  リード線、
５  マスク、
６  吸盤、
７  電器、
１２  スライドカバー、
１３  収容空間、
１４  位置決め部材、
２１  制御回路板、
２２  電池収容空間、
２３  電池、
３１  容器、
３２  ソーラーパネル、
３３  半透明覆い層、
５１  頂壁、
５２  後壁、
５３  側壁、
５４  収容空間、
１１１  底板、
１１１ａ  半透明部、
１１２  前板、
１１３  後板、
１１３ａ  貫通孔、
１１４  側板、
１１４ａ  第１レール溝、
１２１  上面、
１２２  下面、
１４１  第２レール溝、
１４２  第３レール溝、
２１１  ケーブル、
３２１  吸光面、
５２１  貫通孔、
５３１  スライドブロック。
【図１】
0003193190.tif 000003
【図２】
0003193190.tif 000004
【図３】
0003193190.tif 000005
【図４】
0003193190.tif 000006
【図５】
0003193190.tif 000007